(57)【要約】      （修正有）【課題】刈払作業のときに刈払刃によって跳ね飛ばされて、ハンドルシャフトの中心軸を基準にして、その中心軸よりも地面から離れる側の上側の経路を通って飛来する切断草や砂等の飛来物から作業者を防護することができると共に、刈払刃を目で見ながら綺麗に刈払作業ができる刈払機用防護カバーを提供する。【解決手段】ハンドルシャフト１３の先端部に回転駆動される刈払刃１２が回動自在に設けられた刈払機１１に取り付けて使用され、刈払刃１２によって跳ね飛ばされた砂や小石等の飛来物から作業者を防護するための刈払機用防護カバー１４において、ハンドルシャフト１３の中心軸を基準にして、中心軸よりも地面から離れる側の上側位置に配置され、網状部２０を有する上側カバー１８を備える構成。【選択図】図１
0003144741.tif 000002
【実用新案登録請求の範囲】
【請求項１】
ハンドルシャフトの先端部に回転駆動される刈払刃が回動自在に設けられた刈払機に取り付けて使用され、前記刈払刃によって跳ね飛ばされた飛来物から作業者を防護するための刈払機用防護カバーにおいて、
前記ハンドルシャフトの中心軸を基準にして、前記中心軸よりも地面から離れる側の上側位置に配置される透光性を有する上側カバーを備えることを特徴とする刈払機用防護カバー。
【請求項２】
前記上側カバーは、前記飛来物から作業者を防護するための網状部を有することを特徴とする請求項１記載の刈払機用防護カバー。
【請求項３】
前記上側カバーは、前記飛来物から作業者を防護するための多数の小孔が形成された板状部を有することを特徴とする請求項１記載の刈払機用防護カバー。
【請求項４】
前記上側カバーを、前記ハンドルシャフトに対して着脱自在に取り付けるための着脱機構を備え、
前記着脱機構は、前記上側カバーを補強するための補強部と、
前記ハンドルシャフトに取り付けられる取付部と、
前記補強部及び前記取付部のうちの一方に設けられた係合孔と、
前記補強部及び前記取付部のうちの他方に設けられ前記係合孔に係脱自在に係合される係合突起とを有することを特徴とする請求項１乃至３のいずれかに記載の刈払機用防護カバー。
【請求項５】
前記ハンドルシャフトの中心軸を基準にして、前記中心軸よりも地面に近づく側の下側位置に配置される下側カバーを備えることを特徴とする請求項１乃至４のいずれかに記載の刈払機用防護カバー。
【請求項６】
前記下側カバーは、透光性を有し前記飛来物から作業者を防護するための網状部、又は多数の小孔が形成された板状部を有することを特徴とする請求項５記載の刈払機用防護カバー。
【請求項７】
互いに接続する可撓性を有する前記上側カバー及び前記下側カバーと、
前記ハンドルシャフトを挿通するための挿通孔と、
前記上側カバー及び前記下側カバーのうちのいずれか一方又は両方に形成され、前記ハンドルシャフトを前記上側カバー及び前記下側カバーの外側から前記挿通孔に導くための切込み部とを備えることを特徴とする請求項５又は６記載の刈払機用防護カバー。
【請求項８】
請求項１乃至７のいずれかに記載の刈払機用防護カバーを備えることを特徴とする刈払機。
【請求項９】
前記刈払刃が、可撓線状刃又はチップソーであることを特徴とする請求項８記載の刈払機。
【考案の詳細な説明】
【技術分野】
【０００１】
本考案は、ハンドルシャフトの先端部に回転駆動される刈払刃が回動自在に設けられた刈払機に取り付けて使用され、その刈払刃によって跳ね飛ばされる飛来物から作業者を防護するための刈払機用防護カバー、及びそれを備える刈払機に関する。
【背景技術】
【０００２】
従来の刈払機用カバーの一例として、例えば図９に示すものがある（例えば、特許文献１参照。）。この刈払機用カバー１が取り付けられている刈払機２は、同図に示すように、ハンドルシャフト３の先端部に回転駆動される刈払刃４が回動自在に設けられている。刈払刃４は、ハンドルシャフト３の基端部に取り付けられているエンジン５によって回転駆動される。この刈払刃４としては、例えば金属製の円板状体の周縁部に多数の切刃が形成されているものや、合成樹脂製の可撓線状刃がある。
【０００３】
また、図９に示すように、ハンドルシャフト３の先端部に取り付けられている刈払機用カバー１は、ハンドルシャフト３に固定して取り付けられているカバー本体１ａを備え、このカバー本体１ａの下縁部に防塵用カバー１ｂが取り付けられている。このカバー本体１ａは、硬質材料で形成され、防塵用カバー１ｂは、可撓性材料で形成されている。
【０００４】
この従来の刈払機２を使用して草を刈るときは、図９に示すように、防塵用カバー１ｂがカバー本体１ａから垂れ下がり、その下縁部が地面に接触しているために、刈払刃４の回転によって跳ね飛ばされた切断草、砂、小石等が、作業者に向かって飛来しないように防護することができる。これによって、作業者の安全性の向上を図ることができ、効率よく草等の刈払作業を行うことができる。
【特許文献１】特開平０６−３３４１９号公報
【考案の開示】
【考案が解決しようとする課題】
【０００５】
しかし、図９に示す従来の刈払機用カバー１では、高速回転する刈払刃４によって跳ね飛ばされて、地面の近くを通って作業者側に向かって飛来してくる砂や小石等から作業者を防護することができるが、地面から離れる方向に跳ね飛ばされて、刈払機用カバー１の上を乗り越えて作業者側に飛来してくる砂や小石等から作業者を防護することができない。
【０００６】
つまり、図９に示す従来の刈払機用カバー１は、ハンドルシャフト３の中心軸を基準にして、その中心軸よりも地面に近づく側の下側位置に配置されており、これによって、地面の近くを通って作業者側に向かって飛来してくる砂や小石等から作業者を防護することができる。
【０００７】
しかし、例えば刈払刃４として合成樹脂製の可撓線状刃を使用する場合は、この高速回転する可撓線状刃が地面に叩きつけられて、その衝撃によって砂や小石等が、刈払機用カバー１の上を乗り越えて作業者側に飛来することがある。
【０００８】
これを防止するために、ハンドルシャフト３の中心軸を基準にして、その中心軸よりも地面から離れる側の上側位置に上側カバーを取り付けることが考えられるが、そのような上側位置に上側カバーを取り付けると、作業者が刈払刃４、及び刈り取ろうとする草等を目で見るときに、その上側カバーが邪魔になるので、刈払作業の作業効率を低下させることとなる。
【０００９】
本考案は、上記のような課題を解決するためになされたものであり、刈払作業のときに刈払刃によって跳ね飛ばされて、ハンドルシャフトの中心軸を基準にして、その中心軸よりも地面から離れる側の上側の経路を通って飛来する飛来物から作業者を防護することができると共に、刈払刃を目で見ながら刈払作業ができる刈払機用防護カバー及びそれを備える刈払機を提供することを目的としている。
【課題を解決するための手段】
【００１０】
本考案に係る刈払機用防護カバーは、ハンドルシャフトの先端部に回転駆動される刈払刃が回動自在に設けられた刈払機に取り付けて使用され、前記刈払刃によって跳ね飛ばされた飛来物から作業者を防護するための刈払機用防護カバーにおいて、前記ハンドルシャフトの中心軸を基準にして、前記中心軸よりも地面から離れる側の上側位置に配置される透光性を有する上側カバーを備えることを特徴とするものである。
【００１１】
この考案に係る刈払機用防護カバーが取り付けられる刈払機によると、刈払刃を高速回転させて、この高速回転する刈払刃によって草や芝等を刈り取ることができる。そして、刈払機用防護カバーは、ハンドルシャフトの中心軸を基準にして、その中心軸よりも地面から離れる側の上側位置に配置されるので、刈払作業のときに刈払刃によって跳ね飛ばされて、ハンドルシャフトの中心軸を基準にして、その中心軸よりも地面から離れる側の上側の経路を通って飛来する砂や小石等の飛来物から作業者を防護することができる。また、上側カバーは、透光性を有しているので、この上側カバーを通して刈払刃、及び刈り取ろうとする草や芝等を透けて見ることができ、それらを目で見ながら刈払作業ができる。
【００１２】
この考案に係る刈払機用防護カバーにおいて、前記上側カバーは、前記飛来物から作業者を防護するための網状部、又は多数の小孔が形成された板状部を有するものとすることができる。
【００１３】
このように、上側カバーが網状部、又は多数の小孔が形成された板状部を有するものとすると、刈払機用防護カバーを軽量にすることができ、刈払作業の労力を軽減することができる。そして、この網状部又は板状部を通して刈払刃、及び刈り取ろうとする草や芝等を透けて見ることができ、それらを目で見ながら綺麗に刈払作業ができる。また、網状部又は板状部は、表面が凹凸形状となっているので、切断された草等（切断草）が付着しても、比較的簡単に除去することができ、この網状部又は板状部を通して刈払刃等を目で見ながら再び刈払作業ができる。
【００１４】
この考案に係る刈払機用防護カバーにおいて、前記上側カバーを、前記ハンドルシャフトに対して着脱自在に取り付けるための着脱機構を備え、前記着脱機構は、前記上側カバーを補強するための補強部と、前記ハンドルシャフトに取り付けられる取付部と、前記補強部及び前記取付部のうちの一方に設けられた係合孔と、前記補強部及び前記取付部のうちの他方に設けられ前記係合孔に係脱自在に係合される係合突起とを有するものとすることができる。
【００１５】
この着脱機構によると、透光性を有する上側カバーを、ハンドルシャフトに取り付けられる取付部に対して比較的簡単に着脱自在に取り付けることができるし、取り外すことができる。具体的には、上側カバーを取付部に取り付けるときは、上側カバーの補強部に形成された係合孔（又は係合突起）を、ハンドルシャフトの取付部に形成された係合突起（又は係合孔）に係合させる。そして、上側カバーを取付部から取り外すときは、係合孔を係合突起から取り外せばよい。
【００１６】
この考案に係る刈払機用防護カバーにおいて、前記ハンドルシャフトの中心軸を基準にして、前記中心軸よりも地面に近づく側の下側位置に配置される下側カバーを備えるものとすることができる。
【００１７】
このように、下側カバーを備えるようにすると、高速回転する刈払刃によって跳ね飛ばされて、地面の近くを通って作業者側に向かって飛来する砂や小石等から作業者を防護することができる。
【００１８】
この考案に係る刈払機用防護カバーにおいて、前記下側カバーは、透光性を有し前記飛来物から作業者を防護するための網状部、又は多数の小孔が形成された板状部を有するものとすることができる。
【００１９】
このように、下側カバーが網状部、又は多数の小孔が形成された板状部を有するものとすると、前記のように上側カバーが網状部、又は多数の小孔が形成された板状部を有するものとしたときと同様に作用するので、その説明を省略する。
【００２０】
この考案に係る刈払機用防護カバーにおいて、互いに接続する可撓性を有する前記上側カバー及び前記下側カバーと、前記ハンドルシャフトを挿通するための挿通孔と、前記上側カバー及び前記下側カバーのうちのいずれか一方又は両方に形成され、前記ハンドルシャフトを前記上側カバー及び前記下側カバーの外側から前記挿通孔に導くための切込み部とを備えるものとすることができる。
【００２１】
このようにすると、刈払機用防護カバーに形成された挿通孔に、ハンドルシャフトを装着するときは、ハンドルシャフトの側面を、上側カバー及び下側カバーの外側から切込み部内に進入させて挿通孔内に配置することによって行うことができる。これによって、例えばハンドルシャフトの先端部に刈払刃が取り付けられ、基端部にはエンジンが取り付けられている状態でも、これらをハンドルシャフトから取り外さずに、刈払機用防護カバーをハンドルシャフトに簡単に取り付けることができる。
【００２２】
本考案に係る刈払機は、本考案の刈払機用防護カバーを備えることを特徴とするものである。
【００２３】
本考案に係る刈払機によると、刈払刃を高速回転させて、この高速回転する刈払刃によって草や芝等を刈り取ることができる。そして、刈払機用防護カバーは、前記と同様に作用するので、その説明を省略する。
【００２４】
この考案に係る刈払機において、前記刈払刃が、可撓線状刃又はチップソーであるものとすることができる。
【００２５】
このように、刈払刃が可撓線状刃又はチップソーであると、刈払作業のときに、高速回転する刈払刃によって砂や小石等が跳ね飛ばされて作業者側に飛来してくることがあるが、刈払機用防護カバーによって、これら飛来物から作業者を防護することができる。
【考案の効果】
【００２６】
本考案に係る刈払機用防護カバー、及び刈払機によると、刈払作業のときに刈払刃によって跳ね飛ばされて、ハンドルシャフトの中心軸を基準にして、その中心軸よりも地面から離れる側の上側の経路を通って飛来する砂や小石等の飛来物から作業者を防護することができる。これによって、刈払作業の安全性の向上を図ることができる。
【００２７】
そして、この刈払機用防護カバーが備える上側カバーは、透光性を有しているので、上側カバーを通して刈払刃、及び刈り取ろうとする草や芝等を透けて見ることができ、それらを目で見ながら綺麗に刈払作業ができる。
【考案を実施するための最良の形態】
【００２８】
以下、本考案に係る刈払機用防護カバー、及びそれを備える刈払機の一実施形態を、図１〜図７を参照して説明する。図１は、刈払機１１の先端部に取り付けられている刈払機用防護カバーを示す平面図であり、図２は、図１に示す刈払機用防護カバーを示す部分断面正面図である。これら図１及び図２に示す刈払機１１は、草刈作業をする作業者が携帯することができて、刈払刃１２を例えば図示しないエンジン（回転駆動部）によって所定方向に高速回転させることができ、この高速回転する刈払刃１２で草や芝等を刈り取ることができるものである。そして、この刈払機１１が備えるハンドルシャフト１３の先端部には、刈払機用防護カバー１４が取り付けられている。
【００２９】
この刈払機用防護カバー１４は、作業者が刈払刃１２を高速回転させて、この高速回転する刈払刃１２によって草や芝等を刈り取る作業をしているときに、この刈払刃１２によって跳ね飛ばされて、作業者側に飛来する砂や小石等の飛来物から作業者を防護することができるものである。
【００３０】
刈払刃１２は、図１及び図２に示すように、合成樹脂製の可撓線状刃である。この可撓線状刃とは、例えばナイロン製のコード刃である。この可撓線状刃は、刈刃回転体１５の内部に収容されているボビンに巻き付けられており、この可撓線状刃の両端部が所定の長さだけこの刈刃回転体１５の刃通孔１５ａ、１５ａを通って外側に引き出されている。
【００３１】
この刈刃回転体１５は、円盤状体であって、ハンドルシャフト１３の先端部に配置されている回転軸（図示せず）に取り付けられている。この回転軸は、ハンドルシャフト１３の基端部に取り付けられているエンジンによって高速で回転駆動されるようになっている。
【００３２】
この刈払機１１を使用して刈払作業をするときは、エンジンによって刈刃回転体１５を高速回転させることによって、可撓線状刃が遠心力で刈刃回転体１５から放射状に延びた状態で高速回転して草類を撫で斬り状に切断することができる。
【００３３】
刈払機用防護カバー１４は、図１〜図４に示すように、カバー本体１６と、このカバー本体１６をハンドルシャフト１３に着脱自在に取り付けるための着脱機構１７とを備えている。
【００３４】
カバー本体１６は、図４に示すように、互いに結合する上側カバー１８及び下側カバー１９を有し、それぞれが屈曲自在なシート状の網状部２０を有している。この網状部２０は、例えば金属製であるが、これ以外の材質としてもよく合成樹脂製としてもよい。そして、この網状部２０の網の目の大きさは、高速回転する刈払刃１２によって刈り取られて飛散する切断草や、跳ね飛ばされる砂等の飛来物が作業者側に飛来しないように防護することができる大きさである。そして、この網状部２０は、多数の網の目を有しているので透光性を有し、向こう側が透けて見えるように形成されている。
【００３５】
そして、上側カバー１８は、図４（ａ）に示すように、外観形状が横長の半月状に形成され、下側カバー１９は、外観形状が横長の矩形状に形成されている。そして、これら上側及び下側カバー１８、１９は、その略中心にハンドルシャフト１３が挿通される挿通孔２１が形成されている。
【００３６】
また、図２に示すように、カバー本体１６をハンドルシャフト１３に取り付けた状態で、上側カバー１８は、ハンドルシャフト１３の中心軸を基準にして、その中心軸よりも地面から離れる側の上側位置に配置されるように形成されている。これによって、ハンドルシャフト１３の中心軸よりも上側の経路２２を通って作業者側に飛来してくる砂や小石等から作業者を防護することができる。
【００３７】
そして、下側カバー１９は、図２に示すように、ハンドルシャフト１３の中心軸を基準にして、その中心軸よりも地面に近づく側の下側位置に配置されるように形成されている。これによって、ハンドルシャフト１３の中心軸よりも下側の地面に近い経路２３を通って作業者側に飛来してくる砂や小石等から作業者を防護することができる。
【００３８】
また、図４に示すように、上側及び下側カバー１８、１９には、直線状の補強部２４〜２８が複数形成されている。これらの補強部２４〜２８は、合成樹脂製の細長い屈曲自在な板状体であり、上側及び下側カバー１８、１９の外周縁に沿って形成されている輪郭補強部２４を備えている。そして、挿通孔２１を通る水平方向に形成された水平補強部２５、及び挿通孔２１の内周縁部に形成された孔補強部２６を備えている。また、上側カバー１８に形成され、円形補強部から斜め上方の左右の各方向に延びるように形成された２つの上側補強部２７、２７、及び下側カバー１９に形成され、円形補強部から垂下方向に延びるように形成された下側補強部２８を備えている。
【００３９】
更に、下側補強部２８には、図４に示すように、切込み部２９が直線状に形成されている。この切込み部２９は、ハンドルシャフト１３をカバー本体１６の外側から挿通孔２１に導くためのものであり、下側補強部２８の下縁から挿通孔２１の内側に至るまでの範囲に亘って形成されている。つまり、下側カバー１９に形成されている下側補強部２８は、切込み部２９が形成されている範囲が切断されている。
【００４０】
そして、カバー本体１６は、図４に示すように、挿通孔２１よりも左側部分は、右側部分よりも左方向に長く形成されており、この長く形成されている部分が延長部分３０として設けられている。このように、カバー本体１６の左側部分に延長部分３０を設けてあるのは、図１に示すように、反時計方向に回転する刈払刃１２によって切断されて飛散する切断草や、この高速回転する刈払刃１２によって跳ね飛ばされた砂や小石等が、この延長部分３０に向かって多く飛来してくるからである。
【００４１】
着脱機構１７は、図３に示す拡大部分断面正面図に示すように、カバー本体１６を、ハンドルシャフト１３に対して着脱自在に取り付けるためのものであり、複数の係合突起３１、・・・と、これら各係合突起３１、・・・と係脱自在に係合される複数の係合孔３２、・・・とを備えている。
【００４２】
これら複数の係合突起３１は、図３に示す上側取付部３３及び下側取付部３４に形成された各取付け面３５、３５にそれぞれ突設されている。これら上側取付部３３及び下側取付部３４は、それぞれが半割形状に形成された把持部３３ａ、３３ａを有し、これら一対の把持部３３ａ、３３ａの間にハンドルシャフト１３を挟み込んだ状態に配置して、２本のボルト３６、３６を締め付けることによって、ハンドルシャフト１３に上側及び下側取付部３３、３４を固定して取り付けることができる。
【００４３】
上側取付部３３は、図５（ａ）〜（ｄ）、及び図６（ａ）〜（ｃ）に示すように形成されている。これら図５（ａ）〜（ｄ）は、上側取付部３３を取付け面３５側から見た正面図、平面図、Ｂ−Ｂ断面図、及び背面図である。そして、図６（ａ）〜（ｃ）は、上側取付部３３のＤ−Ｃ断面図、Ｃ−Ｃ断面図、及び側面図である。
【００４４】
上側取付部３３は、図５（ｂ）に示すように、略中央部に把持部３３ａが形成され、この把持部３３ａの左右の各側面から左右の各水平方向に支持部３７、３７が延びるように形成されている。そして、これら把持部３３ａ及び各支持部３７、３７の正面には、カバー本体１６の取付け面３５が平坦面として形成され、この取付け面３５に複数の係合突起３１が突設されている。また、把持部３３ａの背面側部には、ボルト孔３８、３８が一対形成されている。また、把持部３３ａから左右の各方向に延びる一対の支持部３７、３７は、左側の支持部３７が右側の支持部３７よりも長く形成され、カバー本体１６の形状に対応させている。
【００４５】
下側取付部３４は、図７（ａ）〜（ｆ）に示すように形成されている。これら図７（ａ）〜（ｆ）は、下側取付部３４を取付け面３５側から見た正面図、平面図、背面図、側面図、Ｅ−Ｆ断面図、Ｅ−Ｅ断面図である。
【００４６】
この、図７（ａ）〜（ｆ）に示す下側取付部３４と、図５（ａ）〜（ｄ）等に示す上側取付部３３とが相違するところは、上側取付部３３には、図５に示すように、左右の各水平方向に延びる一対の支持部３７、３７が形成されているのに対して、下側取付部３４には、図７に示すように、このような一対の支持部３７、３７が形成されていないところである。要するに、下側取付部３４は、把持部３３ａを備えており、この把持部３３ａは、上側取付部３３の把持部３３ａと同等のものである。なお、この把持部３３ａの同等部分を同一の図面符号で示し、それらの説明を省略する。
【００４７】
次に、上記の複数の各係合突起３１と係脱自在に係合される複数の係合孔３２を説明する。これらの係合孔３２は、図４（ａ）に示すように、カバー本体１６に形成されている水平補強部２５、及び孔補強部２６に設けられている。これら各係合孔３２の孔径は、係合突起３１の外径よりも少し小さい寸法に形成されている。
【００４８】
また、各係合突起３１は、図３に示すように、互いに隙間を隔てて形成された２つの小突起から成り、この２つの小突起は、弾性変形することによって拡縮自在な構成となっている。つまり、各係合突起３１を各係合孔３２に挿入するときや取り外すときには、それぞれが弾性変形して縮径し、各係合突起３１を各係合孔３２に係合させた状態では、弾性変形によって拡径して元の形状に戻ろうとするようになっている。
【００４９】
上記のように構成された着脱機構１７によると、図３に示すようにして、透光性を有する（向こうが透けて見える）カバー本体１６を、ハンドルシャフト１３に取り付けられる上側及び下側取付部３３、３４に対して比較的簡単に着脱自在に取り付けることができるし、取り外すことができる。
【００５０】
具体的には、カバー本体１６を上側及び下側取付部３３、３４に取り付けるときは、このカバー本体１６の補強部２５、２６に形成された複数の各係合孔３２を、ハンドルシャフト１３に取り付けられた上側及び下側取付部３３、３４の取付け面３５に形成された各係合突起３１に係合させる。これによって、カバー本体１６を、上側及び下側取付部３３、３４の取付け面３５に密着させた状態で取り付けることができる。
【００５１】
そして、カバー本体１６を上側及び下側取付部３３、３４から取り外すときは、各係合孔３２を対応する各係合突起３１から引き離して取り外せばよい。このように、カバー本体１６を、ハンドルシャフト１３に対して工具なしで極めて簡単に着脱することができて便利である。
【００５２】
また、図２に示すように、カバー本体１６を、上側及び下側取付部３３、３４を介してハンドルシャフト１３に取り付けた状態で、下側カバー１９は、ハンドルシャフト１３に対して垂直な面内に配置されるように形成され、上側カバー１８は、下側カバー１９に対して前方に角度θ（約１５°）だけ傾くように形成されている。これによって、高速回転する刈払刃１２によって跳ね飛ばされて作業者側に飛来してくる飛来物を、カバー本体１６によって確実に防護することができる。
【００５３】
次に、刈払機用防護カバー１４が取り付けられる刈払機１１の作用を説明する。この刈払機１１によると、図１及び図２に示すようにして、刈払刃１２を高速回転させて、この高速回転する可撓線状刃である刈払刃１２によって、草や芝等を刈り取ることができる。そして、刈払機用防護カバー１４が備える上側カバー１８は、ハンドルシャフト１３の中心軸を基準にして、その中心軸よりも地面から離れる側の上側位置に配置されるので、刈払作業のときに刈払刃１２によって跳ね飛ばされて、ハンドルシャフト１３の中心軸を基準にして、その中心軸よりも地面から離れる側の上側の経路２２を通って飛来する切断草、砂、小石等の飛来物から作業者を防護することができる。これによって、刈払作業の安全性の向上を図ることができる。
【００５４】
特に、刈払刃１２として合成樹脂製の可撓線状刃を使用する場合は、この高速回転する可撓線状刃が地面に叩きつけられて、その衝撃によって砂や小石等が、ハンドルシャフト１３の中心軸よりも地面から離れる側の上側の経路２２を通って作業者側に飛来することがあるが、このような経路２２を通って飛来してくる飛来物を確実に防護することができる。
【００５５】
また、図１及び図２に示すように、刈払機用防護カバー１４が備える下側カバー１９は、高速回転する刈払刃１２によって跳ね飛ばされて、地面の近くを通って作業者側に向かって飛来する切断草、砂、小石等から作業者を防護することができる。
【００５６】
更に、カバー本体１６は、網状部２０で形成され、この網状部２０は、向こう側が透けて見えるように透光性を有しているので、このカバー本体１６を通して刈払刃１２、及び刈り取ろうとする草や芝等を透けて見ることができ、それらを目で見ながら綺麗に刈払作業ができる。
【００５７】
そして、図１に示すように、カバー本体１６が網状部２０によって形成されているので、刈払機用防護カバー１４を軽量にすることができ、刈払作業の労力を軽減することができる。また、網状部２０は、表面が凹凸形状となっているので、切断された草（切断草）等が付着しても、比較的簡単に除去することができ、この網状部２０を通して刈払刃１２等を目で見ながら再び刈払作業ができる。
【００５８】
また、図４（ａ）に示すように、カバー本体１６には、切込み部２９が形成されている。この切込み部２９によると、カバー本体１６をハンドルシャフト１３に取り付けるために、カバー本体１６の挿通孔２１に、ハンドルシャフト１３を装着するときは、ハンドルシャフト１３の側面を、カバー本体１６の外側から切込み部２９内に進入させて挿通孔２１内に配置することによって行うことができる。そして、カバー本体１６をハンドルシャフト１３から取り外すときは、上記の逆のことを行えばよい。
【００５９】
これによって、例えばハンドルシャフト１３の先端部に刈払刃１２が取り付けられ、基端部にはエンジンが取り付けられている状態でも、これらをハンドルシャフトから取り外さずに、カバー本体１６をハンドルシャフト１３に簡単に取り付けたり、取り外すことができて便利である。
【００６０】
ただし、上記実施形態では、図１に示すように刈払刃１２として合成樹脂製の可撓線状刃を使用したが、これに代えて、図８に示すように、チップソー３９を使用してもよい。
【００６１】
このチップソー３９は、図８に示すように、金属製の円板であり、この円板の外周縁部に沿って多数の超硬チップが設けられているものである。勿論、超硬チップが設けられておらず、多数の切刃が形成された刈払刃を使用することができる。
【００６２】
そして、上記実施形態では、図４（ａ）、（ｂ）に示すように、上側カバー１８と下側カバー１９とを一体にして形成してカバー本体１６としたが、これに代えて、図には示さないが、上側カバー１８と下側カバー１９とを別々に形成すると共に、それぞれを別々にハンドルシャフト１３に着脱自在に取り付けるようにしてもよい。また、上側カバー１８及び下側カバー１９は、ハンドルシャフト１３に直接に取り付けずに、例えば刈払刃１２を覆うカバー（図示せず）に取り付けるようにしてもよい。
【００６３】
また、上記実施形態では、図１に示すように、カバー本体１６を網状部２０によって形成したが、これに代えて、多数の小孔が形成された板状体（シート状体を含む）、又は透明のプラスチック板としてもよい。要するに、カバー本体１６は、向こう側が透けて見えるものであって、切断草、砂、小石等の飛来物を防護できるものであればよい。
【００６４】
なお、下側カバー１９を、多数の小孔が形成された板状体、又は透明のプラスチック板によって形成するときは、この下側カバー１９を柔軟な材料で形成することによって、下側カバー１９の下端部を地面に接触させた状態で刈払作業を行うことができる。下側カバー１９の下端部を地面に接触させることによって、刈払刃１２によって跳ね飛ばされてくる切断草、砂、小石等が作業者に向かって飛来することを効果的に防護することができる。
【００６５】
そして、上記実施形態では、刈払刃１２をエンジンで回転駆動したが、これに代えて、電気モータで回転駆動してもよい。
【００６６】
また、上記実施形態では、切込み部２９を下側カバー１９に形成したが、これに代えて、切込み部２９を上側カバー１８に形成してもよい。
【産業上の利用可能性】
【００６７】
以上のように、本考案に係る刈払機用防護カバー及びそれを備える刈払機は、刈払作業のときに刈払刃によって跳ね飛ばされて、ハンドルシャフトの中心軸を基準にして、その中心軸よりも地面から離れる側の上側の経路を通って飛来する飛来物から作業者を防護することができると共に、刈払刃を目で見ながら刈払作業ができる優れた効果を有し、このような刈払機用防護カバー及びそれを備える刈払機に適用するのに適している。
【図面の簡単な説明】
【００６８】
【図１】この考案の第１実施形態に係る刈払機に取り付けられている刈払機用防護カバーを示す平面図である。
【図２】同第１実施形態に係る刈払機に取り付けられている刈払機用防護カバーを示す部分断面正面図である。
【図３】図２に示す刈払機用防護カバーの部分拡大断面図である。
【図４】同第１実施形態の刈払機用防護カバーのカバー本体を示す図であり、（ａ）は正面、（ｂ）はＡ−Ａ断面図である。
【図５】同第１実施形態の刈払機用防護カバーの上側取付部を示す図であり、（ａ）は取付け面側から見た正面図、（ｂ）は平面図、（ｃ）はＢ−Ｂ断面図、（ｄ）は背面図である。
【図６】同第１実施形態の刈払機用防護カバーの上側取付部を示す図であり、（ａ）はＤ−Ｃ断面図、（ｂ）はＣ−Ｃ断面図、（ｃ）は側面図である。
【図７】同第１実施形態の刈払機用防護カバーの下側取付部を示す図であり、（ａ）は取付け面側から見た正面図、（ｂ）は平面図、（ｃ）は背面図、（ｄ）は側面図、（ｅ）はＥ−Ｆ断面図、（ｆ）はＥ−Ｅ断面図である。
【図８】同考案の他の実施形態に係る刈払機の先端部を示す部分平面図である。
【図９】従来の刈払機用カバーの一例を示す斜視図である。
【符号の説明】
【００６９】
１１  刈払機
１２  刈払刃
１３  ハンドルシャフト
１４  刈払機用防護カバー
１５  刈刃回転体
１５ａ  刃通孔
１６  カバー本体
１７  着脱機構部
１８  上側カバー
１９  下側カバー
２０  網状部
２１  挿通孔
２２  上側の経路
２３  下側の経路
２４  輪郭補強部
２５  水平補強部
２６  孔補強部
２７  上側補強部
２８  下側補強部
２９  切込み部
３０  延長部分
３１  係合突起
３２  係合孔
３３  上側取付部
３３ａ  把持部
３４  下側取付部
３５  取付け面
３６  ボルト
３７  支持部
３８  ボルト孔
３９  チップソー
【図１】
0003144741.tif 000003
【図２】
0003144741.tif 000004
【図３】
0003144741.tif 000005
【図４】
0003144741.tif 000006
【図５】
0003144741.tif 000007
【図６】
0003144741.tif 000008
【図７】
0003144741.tif 000009
【図８】
0003144741.tif 000010
【図９】
0003144741.tif 000011